(57)【要約】【課題】  キャビネットとトップカバーとの間に空気が漏洩されることを遮断することで、キャビネットの表面に露が付くことを防止できる空気調和機の室内機を提供する。【解決手段】  室内機の両側面及び後面をなすキャビネット１２０と;キャビネット１２０の上部に設置されるトップカバー１３０と;キャビネット１２０とトップカバー１３０との結合隙間への空気流動を防止するためのガスケット１５０とを含んで空気調和機の室内機を構成する。【選択図】      図３
2006132916.tif 000002
【特許請求の範囲】
【請求項１】
室内機の両側面及び後面をなすキャビネットと;
前記キャビネットの上部に設置されるトップカバーと;
前記キャビネットと前記トップカバーとの結合隙間への空気流動を防止するためのガスケットとを含むことを特徴とする空気調和機の室内機。
【請求項２】
前記ガスケットは、前記キャビネットと前記トップカバーとの間の結合隙間を取り囲む羽根部を含むことを特徴とする請求項１記載の空気調和機の室内機。
【請求項３】
前記羽根部は、一側先端部が前記キャビネット側に接し、他側先端部が前記トップカバー側に接するように形成されたことを特徴とする請求項２記載の空気調和機の室内機。
【請求項４】
前記キャビネットは、その上端から内側に屈曲されたフランジ部を備えており、
前記ガスケットは、前記フランジ部に圧入結合される結合部をさらに含むことを特徴とする請求項２記載の空気調和機の室内機。
【請求項５】
前記結合部は、前記フランジ部との結合強度を維持するように硬質あるいは半硬質のプラスチック材質により製造され、
前記羽根部は、その先端部が前記キャビネットあるいは前記トップカバー側に密着されるように軟質のプラスチック材質により製造されたことを特徴とする請求項４記載の空気調和機の室内機。
【請求項６】
前記ガスケットは、一体に形成されたことを特徴とする請求項５記載の空気調和機の室内機。
【請求項７】
外観をなす複数の板材と;
前記複数の板材間の結合隙間への空気流動を遮断するガスケットとを含むことを特徴とする空気調和機の室内機。
【請求項８】
前記ガスケットは、前記複数の板材間の結合隙間の周囲を取り囲む形状に設けられたことを特徴とする請求項７記載の空気調和機の室内機。
【発明の詳細な説明】
【技術分野】
【０００１】
本発明は、空気調和機の室内機に関するもので、詳しくは、キャビネットとトップカバーとの間の密閉構造に関するものである。
【背景技術】
【０００２】
一般に、空気調和機は、冷凍サイクルを用いて室内空間を冷房または暖房する装置であって、冷凍サイクルを構成する圧縮機、凝縮器、膨張器、蒸発器などが一つのユニットに設置される一体型と、室内機および室外機に分離設置される分離型とに区分される。
【０００３】
本発明は、分離型空気調和機の室内機に関するもので、特に、室内の底面に設置するスタンド型空気調和機に関するものである。
【０００４】
従来の空気調和機の室内機は、外観をなすハウジングと、このハウジング内に設置されて室内空気を熱交換するための室内熱交換器と、室内空気を吸入吐出するための流動力を発生する送風ファンとを備える。
【０００５】
このような室内機のハウジング構造は、大韓民国公開特許公報第２００３-００６７２５６号に記載されたように、前面及び上面が開放されて内部に熱交換器及び送風機が設置されたキャビネットと、このキャビネットの上側に結合されて空気調和機の上部をなすトップカバーと、これらトップカバー及びキャビネットの上部前面に結合されて上部に吐出口が形成され、この吐出口に風向調節部材が回転自在に設置された前面上部パネルと、前記キャビネットの前面下部に開閉自在に配置され、室内側の空気を吸入する吸入口が形成された吸入グリルと、これらキャビネット及び吸入グリルを支持するように前記キャビネット及び吸入グリルが載置されるベースと、を含んで構成される。
【０００６】
前記空気調和機の室内機で熱交換された空気は、上部パネルの吐出口を通して室内に再び吐出される。このとき、吐出される空気は、全て吐出口を通して吐出されることが好ましい。しかしながら、空気の一部は、キャビネットとトップカバーとの間の隙間に流出されるようになる。そのため、夏季の冷房時、キャビネットとトップカバーとの間に流出される冷たい空気が室内の暑い空気と接すると、キャビネットの表面に露が付くようになるが、このキャビネットの表面に付いた露は、キャビネットの耐久性を低下するだけでなく、底面に落ちて室内を不潔にするという問題点があった。
【発明の開示】
【発明が解決しようとする課題】
【０００７】
本発明は、このような問題点を解決するためになされたもので、キャビネットとトップカバーとの間に空気が漏洩されることを遮断することで、キャビネットの表面に露が付くことを防止できる空気調和機の室内機を提供することを目的とする。
【課題を解決するための手段】
【０００８】
このような目的を達成するために、本発明による空気調和機の室内機は、室内機の両側面及び後面をなすキャビネットと;前記キャビネットの上部に設置されるトップカバーと;前記キャビネットと前記トップカバーとの結合隙間への空気流動を防止するためのガスケットとを含むことを特徴とする。
【０００９】
また、前記ガスケットは、前記キャビネットと前記トップカバーとの間の結合隙間を取り囲む羽根部を含むことを特徴とする。
【００１０】
また、前記羽根部は、一側先端部が前記キャビネット側に接し、他側先端部が前記トップカバー側に接するように形成されたことを特徴とする。
【００１１】
また、前記キャビネットは、その上端から内側に屈曲されたフランジ部を備えており、前記ガスケットは、前記フランジ部に圧入結合される結合部をさらに含むことを特徴とする。
【００１２】
また、前記結合部は、前記フランジ部との結合強度を維持するように硬質あるいは半硬質のプラスチック材質により製造され、前記羽根部は、その先端部が前記キャビネットあるいは前記トップカバー側に密着されるように軟質のプラスチック材質により製造されたことを特徴とする。
【００１３】
また、前記ガスケットは、一体に形成されたことを特徴とする。また、このような目的を達成するために、本発明による空気調和機の室内機は、外観をなす複数の板材と;前記複数の板材間の結合隙間への空気流動を遮断するガスケットとを含むことを特徴とする。
【発明の効果】
【００１４】
本発明による空気調和機の室内機は、キャビネットとトップカバーとの結合隙間に空気が流動されることを遮断するガスケットを備えている。よって、夏季の冷房時、熱交換された冷たい空気がキャビネットとトップカバーとの間の隙間に流出されて室内機の表面に露が付く現象を防止できる。
【発明を実施するための最良の形態】
【００１５】
以下、本発明による空気調和機の室内機の実施の形態を図面に基づいて説明する。
【００１６】
図１および図２に示すように、本発明による空気調和機の室内機は、外観をなすハウジング１００と、このハウジング１００内に設置されて室内空気を吸入する送風ファン２２０と、吸入された室内空気を熱交換する熱交換器２１０とを備えている。
【００１７】
ハウジング１００は、室内機の前面をなす前面パネル１１０と、両側面及び後面をなすキャビネット１２０と、上面をなすトップカバー１３０と、底面をなすベースと、から構成される。ここで、前面パネル１１０の下部には、室内空気が吸入される吸入口１１１が形成され、前面パネル１１０の上部には、熱交換された空気が吐出される吐出口１１２が形成される。吐出口１１２上には、吐出される空気の方向を調節するブレード１１３が設置される。また、吐出口１１２の直下側には、空気調和機の全体的な動作を制御するための操作部１１４が備わる。
【００１８】
吸入口１１１上には、吸入される空気中の埃、粉塵などの汚染物質を濾過するためのエアフィルタ２３０が設置され、その後方に熱交換器２１０が設置される。送風ファン２２０は、熱交換器２１０の上側に設置され、送風ファン２２０の周囲には、空気の流れを案内するファンケーシング２４０が備わる。
【００１９】
キャビネット１２０およびトップカバー１３０の内側には、室内機の内部と外部との間の熱伝逹を遮断するための断熱材２５０が付着される。また、キャビネット１２０とトップカバー１３０との結合部には、熱交換された冷たい空気が室内機の外部に漏洩されることを遮断するためのガスケット１５０が設置される。
【００２０】
以下、キャビネット１２０とトップカバー１３０との間の密閉構造を、図３および図４に基づいて説明する。
【００２１】
キャビネット１２０は、鉄板材質の板材を複数回屈曲加工して設けられ、室内機の両側面及び後面をなす。キャビネット１２０の上端には、内側に屈曲されたフランジ部１２１が備わる。
【００２２】
室内機の上面をなすトップカバー１３０は、金属板材あるいはプラスチック樹脂材質により加工され、キャビネット１２０の上部を覆うように設置される。トップカバー１３０の両側には、下部に突出されて後方に屈曲された複数個の仮組立突起１３０ａが備わり、キャビネット１２０の両側面のフランジ部１２１には、この仮組立突起１３０ａが係合される仮組立ホール１２１ａが形成される。また、トップカバー１３０上の縁部には、固定ねじ１３１を締め付けるための複数個のねじホール１３０ｂが形成され、キャビネット１２０のフランジ部１２１上にも、このねじホール１３０ｂに対応する位置に複数個のねじホール１２１ｂが形成される。トップカバー１３０をキャビネット１２０上に設置するためには、まず、仮組立突起１３０ａと仮組立ホール１２１ａとが一致するようにトップカバー１３０を置いた後、トップカバー１３０を後方に押すと、屈曲された仮組立突起１３０ａの端部がフランジ部１２１の内側に係止されてトップカバー１３０が仮固定される。その後、固定ねじ１３１を締め付けると、トップカバー１３０がキャビネット１２０上に固定される。
【００２３】
一方、キャビネット１２０とトップカバー１３０との結合隙間に空気が流出入されることを遮断するためのガスケット１５０は、キャビネット１２０の両側面及び後面のフランジ部１２１にそれぞれ設置され、各フランジ部１２１に沿って長く形成される。
【００２４】
ガスケット１５０の断面形状は、図４に示したとおりである。すなわち、ガスケット１５０は、キャビネット１２０とトップカバー１３０との結合隙間を取り囲む略半円状の羽根部１５１と、この半円状の羽根部１５１の中央から円心側に延長される形状の結合部１５２とを備える。ここで、結合部１５２の中心に溝１５２ａが形成されており、キャビネット１２０のフランジ部１２１がこの溝１５２ａに圧入されることで、ガスケット１５０がキャビネット１２０上に設置される。よって、羽根部１５１は、その一側先端部がトップカバー１３０の内面に密着され、他側先端部がキャビネット１２０の内面に密着されることで、室内機内部の空気が漏洩されるか、または室内機の外部から空気が流入されることを遮断するようになる。
【００２５】
結合部１５２は、所定の結合強度を維持するように、硬質あるいは半硬質のプラスチック材質により構成し、羽根部１５１は、その先端部がトップカバー１３０あるいはキャビネット１２０の内面に容易に密着されるように、軟質のプラスチック材質により構成することが好ましい。また、その製造方法としては、羽根部１５１と結合部１５２とが一体に成形される圧出成形法を用いることが好ましい。
【図面の簡単な説明】
【００２６】
【図１】本発明の一実施形態による空気調和機の室内機を示した斜視図である。
【図２】図１の空気調和機の室内機を示した側断面図である。
【図３】図１の空気調和機の室内機のキャビネットとトップカバーとの結合構造を示した分解斜視図である。
【図４】図１の空気調和機の室内機のキャビネットとトップカバーとの結合構造を示した断面図である。
【符号の説明】
【００２７】
１００    ハウジング
１１０    前面パネル
１２０    キャビネット
１３０    トップカバー
１４０    ベース
１５０    ガスケット
１５１    羽根部
１５２    結合部
１５２ａ  溝
２１０    熱交換器
２２０    送風ファン
２３０    エアフィルタ
２４０    ファンケーシング
【図１】
2006132916.tif 000003
【図２】
2006132916.tif 000004
【図３】
2006132916.tif 000005
【図４】
2006132916.tif 000006